(57)【要約】  本発明は、異なる種類の光ディスクを使用可能であるにもかかわらず、簡素且つ低コストである光ピックアップ装置用の光学素子ユニット並びにそれを用いた光ピックアップ装置を提供する。成形時には、キャビティＵＭ１の軸線ＵＸ１と、キャビティＬＭ１の軸線ＬＸ１とが一致するように、上型ＵＭと下型ＬＭとを位置決めする。すると、上型ＵＭと下型ＬＭとの製造誤差に従い、キャビティＵＭ２の軸線ＵＸ２と、キャビティＬＭ２の軸線ＬＸ２とは、シフト量δのレンズ面シフトが生じる。これに対し、第２の対物レンズ部ＯＢＪ２の面Ｓ２を、平面もしくは曲率半径の大きな曲面とすることで、レンズ面シフトの影響を抑制して、ＣＤの情報記録面ＲＬ２に対してコマ収差を抑えた適切な集光スポットを形成できるようにしている。
2008111380.tif 000002
【特許請求の範囲】
【請求項１】
単一又は複数の光源と、第１の対物レンズ部と第２の対物レンズ部とが一体的に成形された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して前記第１光情報記録媒体よりも記録密度が小さい第２光情報記録媒体の情報記録面に集光させることにより、その情報記録面に対して情報の記録及び／又は再生が可能となっている光ピックアップ装置用の光学素子であって、
前記第１の対物レンズ部と前記第２の対物レンズ部とは共に単玉であり、
前記第１の対物レンズ部は共に非球面である互いに対向する第１光学面と第２光学面を有し、
前記第２の対物レンズ部は互いに対向する第１光学面と第２光学面を有し、
いずれの対物レンズ部においても、前記第１光学面の曲率の方が前記第２光学面の曲率より大きく、
前記第２の対物レンズ部の前記第２光学面において、光軸上の点と、前記第２の対物レンズ部の有効径Ｄｅに相当する光軸高さにおける点との光軸方向の距離をΔsagとしたときに、以下の式を満たすことを特徴とする光ピックアップ装置用の光学素子。
０  ≦  Δsag/Ｄｅ  ＜  ０．１５              （１）
【請求項２】
前記第１の対物レンズ部の前記第２光学面の曲率が、前記第２の対物レンズ部の前記第２光学面の曲率より大きいことを特徴とする請求の範囲第１項に記載の光ピックアップ装置用の光学素子。
【請求項３】
前記第２のレンズ部の前記第２光学面における曲率半径の絶対値は、２ｍｍ以上であることを特徴とする請求の範囲第１項又は第２項に記載の光ピックアップ装置用の光学素子。
【請求項４】
前記第２のレンズ部の前記第２光学面は平面であることを特徴とする請求の範囲第１項又は第２項に記載の光ピックアップ装置用の光学素子。
【請求項５】
前記光学素子はプラスチック製であることを特徴とする請求の範囲第１項乃至第４項のいずれかに記載の光ピックアップ装置用の光学素子。
【請求項６】
請求の範囲第１項乃至第５項のいずれかに記載の光学素子を有することを特徴とする光ピックアップ装置。
【発明の詳細な説明】
【技術分野】
【０００１】
本発明は、異なる種類の光情報記録媒体（光ディスクともいう）に対して情報の記録及び／又は再生を行える光ピックアップ装置用の枠体及び光学素子ユニット並びにそれを用いた光ピックアップ装置に関する。 
【背景技術】
【０００２】
現在において、多種多様な情報を記録したＤＶＤやＣＤ（コンパクトディスク）が販売されている現実をふまえると、一台のプレーヤーで可能な限り様々なタイプの光ディスクに対して適切に情報の記録／再生ができるようにすることが望まれている。【０００３】
ここで、光ピックアップ装置において、単一の対物レンズを用いて異なる光ディスクの互換使用が可能になれば、コンパクト化を実現する上で好ましいと言える。ところが、単一の対物レンズを用いて複数の波長の光束を、異なる基板厚を有する光ディスクの情報記録面に集光させようとすると、光学面に回折構造等を設ける必要があり、コスト高を招く。一方、屈折面からなる対物レンズを光ピックアップ装置に複数個搭載し、使用する波長の光束に応じて切り換えることも考えられるが、対物レンズのコストは下がるものの、組付時における対物レンズ相互の調整の手間が増え、対物レンズの支持構成等が複雑化し光ピックアップ装置の大型化を招くという問題がある。【０００４】
これに対し、対物レンズの「共通化」と「コンパクト化」を両立させ、更に好ましい光学性能を得るために、レンズを並列に並べて一体成形した複合光学素子を用いることが考えられる。このような複合光学素子は、個々に成形した２つのレンズを用いる場合に比べて、フランジ部を共通化できるため、レンズ間の間隔を狭められるというメリットがある。また、組み立て調整の簡易化や低コスト化を図ることができるというメリットもある。このような複合光学素子の例としては、特許文献１に記載されたものがある。
【特許文献１】特表２００５−５１２２５３号公報
【発明の開示】
【発明が解決しようとする課題】
【０００５】
ところで、一般的に単一レンズを成形する際に、一方の光学面を転写成形する金型と、光軸に沿ってそれに対向する他方の光学面を転写成形する金型とが、光軸と直交方向にずれてしまうという、いわゆるレンズ面シフトが発生する。かかるレンズ面シフトは、金型の位置合わせ誤差等によって生じるものであるが、それにより単一レンズに３次コマ収差が発生する恐れがある。しかるに、レンズ面シフトは、金型の位置合わせを高精度に行うことで、ある程度解消することができる。【０００６】
ところが、対物レンズ部を並列に並べて一体的に成形された複合光学素子の場合、金型の製造誤差により、一方の対物レンズ部の面シフトを解消すべく金型の調整を最適に行うと、他方の対物レンズ部の面シフトが残存あるいは発生してしまうという問題がある。レンズ面シフトを解消するために、金型の製造誤差及び位置決め精度を高くしようとすると、製造コストが顕著に増大する。同様な問題は、軸線が傾いて一対の金型が取り付けられてしまう、いわゆるレンズ面チルトでも生じる。【０００７】
そこでレンズ面シフト及びレンズ面チルトを低減させるため、一体的に成形された対物レンズの少なくとも一方の片面を平面あるいは平面に近づけることが考えられる。このようにすることにより、レンズ面チルトの調整さえ許容量以下に行えば、レンズ面シフトが発生することがないか、あるいはその発生を低減することができる。【０００８】
また、光ディスク用対物レンズは、フォーカシングのために光軸方向に駆動され、トラッキングのために光軸垂直方向に駆動される。これらのうちトラッキングの場合、対物レンズに対して光束が斜入射することとなり、像高が生じるため、これがコマ収差となって集光スポット形成に悪影響を生じる。この場合、上述のレンズ面シフト及びレンズ面チルトが大きいほど、生じるコマ収差も増大してしまう。
一方、このような像高特性は、レンズ面の形状を工夫することによってある程度解決できることが知られている。すなわち、２面ある光学面のうち、両面を非球面形状にすることにより、斜入射に対してもコマ収差の発生を抑制することが可能になる（本明細書において、このような形状を両面非球面ということがある。また両面ともに凸面であるものを両凸と略称する場合がある）。
しかし、これを、片面を平面に近づけ、他方の面の曲率を大きくするにしたがい、像高特性が悪化し、斜入射にともなうコマ収差の発生が顕著になる（本明細書において、このような形状を片面非球面ということがある。また片面が平面で、他方の面が凸面であるものを平凸と略称する場合がある。この場合、完全な平面でなくとも、平面に近い、大変ゆるいカーブの面も、平面扱いにするものとする）。【０００９】
したがって、レンズ面を両凸形状にすることが製造上誤差が生じにくいが、そのための金型調整がコスト増要因であり、一方そのコストを低減するために全てのレンズ面を平凸形状とすることは、ピックアップ性能上問題がある。【００１０】
本発明は、かかる従来技術の問題点に鑑みてなされたものであり、異なる種類の光ディスクを使用可能であるにもかかわらず、簡素且つ低コストである光ピックアップ装置用の光学素子及びそれを用いた光ピックアップ装置を提供することを目的とする。
【課題を解決するための手段】
【００１１】
本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。更に、情報の記録／再生用の光源として、青紫色半導体レーザや青紫色ＳＨＧレーザを使用する光ディスク（光情報記録媒体ともいう）を用いることもできる。このような光ディスクを総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜が形成されていない光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。 記録密度は、高密度光ディスクが最も高く、次いでＤＶＤ、ＣＤの順に低くなる。【００１２】
請求の範囲第１項に記載の光ピックアップ装置用の光学素子は、単一又は複数の光源と、第１の対物レンズ部と第２の対物レンズ部とが一体的に成形された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して前記第１光情報記録媒体よりも記録密度が小さい第２光情報記録媒体の情報記録面に集光させることにより、その情報記録面に対して情報の記録及び／又は再生が可能となっている光ピックアップ装置用の光学素子であって、
前記第１の対物レンズ部と前記第２の対物レンズ部とは共に単玉であり、
前記第１の対物レンズ部は共に非球面である互いに対向する第１光学面と第２光学面を有し、
前記第２の対物レンズ部は互いに対向する第１光学面と第２光学面を有し、
いずれの対物レンズ部においても、前記第１光学面の曲率の方が前記第２光学面の曲率より大きく、
前記第２の対物レンズ部の前記第２光学面において、光軸上の点と、前記第２の対物レンズ部の有効径Ｄｅに相当する光軸高さにおける点との光軸方向の距離をΔsagとしたときに、以下の式を満たすことを特徴とする。【００１３】
０  ≦  Δsag/Ｄｅ  ＜  ０．１５              （１）
好ましくは、以下の式を満たすことを特徴とする。【００１４】
０  ≦  Δsag/Ｄｅ  ＜  ０．０９              （２）
本発明者らは、第１の対物レンズ部と第２の対物レンズ部とが一体的に成形された光学素子の低コスト化を図るために、ある程度の金型の製造誤差や位置合わせ誤差を許容して、所定のレンズ面シフトやレンズ面チルトが生じることを前提としながらも、収差を少なくする技術を見出した。尚、本明細書でいう第１の対物レンズ部と第２の対物レンズ部とが一体的に成形された光学素子とは、第１の対物レンズ部と第２の対物レンズ部とが一体成形により製造され、互いに癒合しているような光学素子をいい、第１の対物レンズ部と第２の対物レンズ部とを別々に製造し、後で嵌合などにより一体化した光学素子は、本発明の光学素子には含まれないものとする。より具体的には、第１の対物レンズ部を基準として金型の位置決めを行うことで、第１の対物レンズ部については、光軸ズレを抑えてコマ収差の少ない集光スポットを、記録密度が高い第１光情報記録媒体の情報記録面に形成する。一方、第２の対物レンズ部については、レンズ面シフトやレンズ面チルトによる光軸ズレが残存してしまう可能性が高いが、前記第２のレンズ部の第２光情報記録媒体側の光学面を平面に近づけることで、例えレンズ面シフトやレンズ面チルトによる光軸ズレが生じても、コマ収差の少ない集光スポットを、第２光情報記録媒体の情報記録面に形成することができる。一体的に成形された光学素子について、両方の対物レンズが平凸形状であると、ともに像高特性の発生が顕著になり、ピックアップとしての性能が悪化するか、あるいは使用に耐えないものとなる。しかし精度を要求される側である第１の対物レンズ部については両凸形状とすることにより良好な像高特性の設計とすることができ、また調整を厳しく行って製造することによって、必要な精度を確保できる。そして、第１の対物レンズ部について調整を厳しく行うことから、第２の対物レンズ側に不可避的に発生するレンズ面シフト及びレンズ面チルトについては、平凸形状とすることにより、その影響を皆無に近く抑え込む事に成功しているのである。特に第２光情報記録媒体は、第１の光情報記録媒体に対して情報記録密度が低いので、第２の対物レンズ部に要求される設計上の制限が比較的緩やかであり、光学面を平面に近づけやすいという実情もある。尚、Δsag/Ｄｅが（１）式の上限を超えると、レンズ面シフトやレンズ面チルトに応じて発生するコマ収差が大きくなりすぎるので、なるべくゼロに近づけることが望ましい。【００１５】
第１光情報記録媒体としてはＤＶＤが好ましく、第２光情報記録媒体としてはＣＤが好ましい。第１の対物レンズ部と第２の対物レンズ部の光学面は、それぞれ屈折面のみから形成することで、成形を容易にできる。第１の対物レンズ部と第２の対物レンズ部の有効径又はワーキングディスタンスを等しくすると、光ピックアップ装置において使い勝手がよいので好ましい。光学素子の光源側において、光学面以外の部位にも反射防止コートを施したり、面粗度を悪くしたりすることで、光学素子からの反射光が光検出器に迷光として入射することを抑制できる。【００１６】
請求の範囲第２項に記載の光ピックアップ装置用の光学素子は、前記第１の対物レンズ部の前記第２光学面の曲率が、前記第２の対物レンズ部の前記第２光学面の曲率より大きいことを特徴とする。従って、第１の対物レンズ部が、設計上の制限が多いより高密度の第１の光情報記録媒体に対して記録／再生を行うために、十分な光学性能を得ることができる。
請求の範囲第３項に記載の光ピックアップ装置用の光学素子は、請求の範囲第１項又は第２項に記載の発明において、前記第２のレンズ部の前記第２光学面における曲率半径の絶対値は、２ｍｍ以上であることを特徴とする。好ましくは、２．３ｍｍ以上であり、より好ましくは３ｍｍ以上である。【００１７】
請求の範囲第４項に記載の光ピックアップ装置用の光学素子は、請求の範囲第１項又は第２項に記載の発明において、前記第２のレンズ部の前記第２光学面は平面であることを特徴とする。【００１８】
請求の範囲第５項に記載の光ピックアップ装置用の光学素子は、請求の範囲第１項乃至第４項のいずれかに記載の発明において、前記光学素子はプラスチック製であることを特徴とする。【００１９】
請求の範囲第６項に記載の光ピックアップ装置は、請求の範囲第１項乃至第５項のいずれかに記載の光学素子を有することを特徴とする。
【発明の効果】
【００２０】
本発明によれば、異なる種類の光ディスクを使用可能であるにもかかわらず、簡素且つ低コストである光ピックアップ装置用の枠体及び光学素子ユニット並びにそれを用いた光ピックアップ装置を提供することができる。
【図面の簡単な説明】
【００２１】
【図１】光ピックアップ装置ＰＵ１の構成を概略的に示す図である。
【図２】本実施の形態にかかる光学素子ＯＵの断面図である。
【図３】光学素子ＯＵを成形する金型の断面図である。
【符号の説明】
【００２２】
ＡＣ１  ２軸アクチュエータ
ＣＯＬ  コリメータ
ＤＳ１  第１の受光部
ＤＳ２  第２の受光部
ＥＰ１  第１の発光点
ＥＰ２  第２の発光点
ＦＬ  フランジ部
ＬＭ  レーザモジュール
ＬＭ  下型
ＯＢＪ１  第１の対物レンズ部
ＯＢＪ２  第２の対物レンズ部
ＯＵ  光学素子ユニット
ＰＬ１  保護基板
ＰＬ２  保護基板
ＰＵ１  光ピックアップ装置
ＲＬ１  情報記録面
ＲＬ２  情報記録面
Ｓ１  光学面
Ｓ２  光学面
ＵＭ  上型
【発明を実施するための最良の形態】
【００２３】
以下、本発明の実施の形態について図面を用いて説明する。尚、本実施の形態にかかる光ピックアップ装置ＰＵ１は、光ディスクドライブ装置に組み込むことが可能である。図１は、光ピックアップ装置ＰＵ１の概略構成を示す図である。【００２４】
光ピックアップ装置ＰＵ１は、第１光情報記録媒体であるＤＶＤに対して情報の記録／再生を行う場合に発光され波長λ２＝６５５ｎｍの赤色レーザ光束（第１光束）を射出する第１の発光点ＥＰ１（第１光源）と、第２光情報記録媒体であるＣＤに対して情報の記録／再生を行う場合に発光され波長λ３＝７８５ｎｍのレーザ光束（第２光束）を射出する第２の発光点ＥＰ２（第２光源）と、ＤＶＤの情報記録面ＲＬ１からの反射光束を受光する第１の受光部ＤＳ１と、ＣＤの情報記録面ＲＬ２からの反射光束を受光する第２の受光部ＤＳ２と、光学素子ＯＵとを有している。光学素子ＯＵは、アクチュエータＡＣ１により直接駆動される。【００２５】
本実施の形態においては、光ディスクに対向して光学素子ＯＵが配置されている。図２は、光学素子ＯＵの断面図である。光学素子ＯＵは、第１の対物レンズ部ＯＢＪ１と第２の対物レンズ部ＯＢＪ２とをフランジ部ＦＬで連結した構成を有し、プラスチックから一体的に成形されてなる。ここでは、光源側の光学面をＳ１，光ディスク側の面をＳ２とすると、第２の対物レンズ部ＯＢＪ２の面Ｓ２は、平面もしくは、それに近い曲率半径の大きな曲面（例えば２ｍｍ以上）となっており、第２の対物レンズ部ＯＢＪ２の面Ｓ１は、それより小さな曲率半径の曲面となっている。また、第１の対物レンズ部ＯＢＪ１の面Ｓ２も、対２の対物レンズ部ＯＢＪ２の面Ｓ２よりも小さな曲率半径の曲面である。第２の対物レンズ部ＯＢＪ２の有効径をＤｅとしたときに、面Ｓ２において、光軸上の点Ｐ１と、有効径Ｄｅに相当する光軸高さにおける点Ｐ２との光軸方向の距離をΔsagとしたとき
に、以下の式を満たすようになっている。【００２６】
０  ≦  Δsag/Ｄｅ  ＜  ０．１５              （１）
好ましくは、以下の式を満たすことを特徴とする。【００２７】
０  ≦  Δsag/Ｄｅ  ＜  ０．０９              （２）
図３は、光学素子ＯＵを成形する金型の断面図である。図３において、上型ＵＭは、第１の対物レンズ部の面Ｓ１に対応するキャビティＵＭ１と、第２の対物レンズ部の面Ｓ１に対応するキャビティＵＭ２とを有している。一方、下型ＬＭは、第１の対物レンズ部の面Ｓ２に対応するキャビティＬＭ１と、第２の対物レンズ部の面Ｓ２に対応するキャビティＬＭ２とを有している。【００２８】
成形時には、キャビティＵＭ１の軸線ＵＸ１と、キャビティＬＭ１の軸線ＬＸ１とが一致するように、上型ＵＭと下型ＬＭとを位置決めする。すると、キャビティＵＭ１，ＬＭ１により成形される第１の対物レンズ部ＯＢＪ１は、それに対応して面Ｓ１，Ｓ２の光軸が互いに一致し、所望の光学特性を発揮できる。一方、上型ＵＭと下型ＬＭとの製造誤差に従うことにより、図３に示すように、キャビティＵＭ２の軸線ＵＸ２と、キャビティＬＭ２の軸線ＬＸ２とは、シフト量δのレンズ面シフトによるズレが生じる恐れがある。かかる場合、キャビティＵＭ２，ＬＭ２により成形される第２の対物レンズ部ＯＢＪ２は、それに対応して面Ｓ１，Ｓ２との間にズレ量δの光軸ズレが生じる。しかしながら、本実施の形態においては、第２の対物レンズ部ＯＢＪ２の面Ｓ２を、平面もしくは、（１）式を満たすように曲率半径の大きな曲面とすることで、レンズ面シフトの影響を抑制して、ＣＤの情報記録面ＲＬ２に対してコマ収差を抑えた適切な集光スポットを形成できるようにしている。【００２９】
又、上型ＵＭと下型ＬＭとの製造誤差によっては、キャビティＵＭ２の軸線ＵＸ２と、キャビティＬＭ２の軸線ＬＸ２とが傾くことで、レンズ面チルトによる軸線の傾きが生じる恐れがある。かかる場合、キャビティＵＭ２，ＬＭ２により成形される第２の対物レンズ部ＯＢＪ２は、それに対応して面Ｓ１，Ｓ２との間の光軸の傾きが生じる。しかしながら、第２の対物レンズ部ＯＢＪ２の面Ｓ２を、平面もしくは、（１）式を満たすように曲率半径の大きな曲面とすることで、レンズ面チルトの影響を抑制して、ＣＤの情報記録面ＲＬ２に対してコマ収差を抑えた適切な集光スポットを形成できるようにしている。【００３０】
図１に示す光ピックアップ装置ＰＵ１において、ＤＶＤに対して情報の記録／再生を行う場合には、図１に示す位置に光学素子ＯＵを移動させ、第１の対物レンズ部ＯＢＪ１を光路内に挿入し、第１の発光点ＥＰ１を発光させる。第１の発光点ＥＰ１から射出された発散光束は、図１において実線でその光線経路を描いたように、コリメータＣＯＬにより平行光束に変換され、第１の対物レンズ部ＯＢＪ１に入射した後、ＤＶＤの保護基板ＰＬ１を介して情報記録面ＲＬ１上に形成されるスポットとなる。第１の対物レンズ部ＯＢＪ１は、２軸アクチュエータＡＣ１によって光学素子ＯＵごと駆動されフォーカシングやトラッキングを行う。【００３１】
情報記録面ＲＬ１で情報ピットにより変調された反射光束は、再び第１の対物レンズ部ＯＢＪ１及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＤＶＤに記録された情報を読み取ることができる。【００３２】
光ピックアップ装置ＰＵ１において、ＣＤに対して情報の記録／再生を行う場合には、図１に示す位置から光学素子ＯＵを移動させ、第２の対物レンズ部ＯＢＪ２を光路内に挿入し、第２の発光点ＥＰ２を発光させる。第２の発光点ＥＰ２から射出された発散光束は、図１において点線でその光線経路を描いたように、コリメータＣＯＬにより平行光束に変換され、第２の対物レンズ部ＯＢＪ２に入射した後、ＣＤの保護基板ＰＬ２を介して情報記録面ＲＬ２上に形成されるスポットとなる。第２の対物レンズ部ＯＢＪ２は、２軸アクチュエータＡＣ１によって光学素子ＯＵごと駆動されフォーカシングやトラッキングを行う。 【００３３】
情報記録面ＲＬ２で情報ピットにより変調された反射光束は、再び第２の対物レンズ部ＯＢＪ２及びコリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＣＤに記録された情報を読み取ることができる。
（実施例）
表１に、上述した実施の形態で用いることができる光学素子のレンズデータを示す。表中で用いる符号は、例えば「３ＣＭ」は３次コマ収差を意味し、「５ＳＡ」は５次球面収差を意味し、「ｆ」は焦点距離であり、「ＷＤ」はワーキングディスタンスである。実施例１の第２の対物レンズ部（ＣＤ用）は、光ディスク側の面Ｓ２の曲率半径が３．０１１６ｍｍであり、Δsag/Ｄｅは０．０８０４である。一方、実施例２の第２の対物レンズ部（ＣＤ用）は、光ディスク側の面Ｓ２の曲率半径が無限大であり、Δsag/Ｄｅは０である。第１の対物レンズ部（ＤＶＤ用）は共通である。【００３４】
【表１】
2008111380.tif 000003
【００３５】
表１に示すように、実施例１，２の第２の対物レンズ部によれば、５μｍのレンズ面シフトが生じた場合でも、３次コマ収差を０．００４λｒｍｓ以下に抑えることができ、角度５分のレンズ面チルトが生じても、３次コマ収差を０．０２９λｒｍｓ以下に抑えることができる。
【図１】
2008111380.tif 000004
【図２】
2008111380.tif 000005
【図３】
2008111380.tif 000006
【国際調査報告】
2008111380.tif 000007
2008111380.tif 000008
2008111380.tif 000009
2008111380.tif 000010